(57)【要約】【課題】本発明はおもちゃ自動車のハンドルカバーを開示した。【解決手段】上主体を含み、操作ロッドを包むとき、蓋板を回し、第二引掛りブロックを第二引掛り溝の中に固定し、蓋板を開けるとき、第二ボタンを押すことにより実現し、遮り布によりおもちゃ自動車のロゴをカバーするとき、三つの面ファスナーを引くことにより調整し完成し、本発明はハンドルカバーをハンドルに固定でき、子供が遊ぶときハンドルカバーを取り外すことを防止し、伸び機構が引き伸ばされることができ、異なる厚さのハンドルに適し、包み機構が操作ロッドを包むことができる。【選択図】図１
2020168333.tif 000002
【特許請求の範囲】
【請求項１】
上主体を含み、前記上主体の中には第一ばねチャンバが左右に対称的に設置され、前記第一ばねチャンバの中にはゴムブロックがスライドできるように係合し取り付けられ、前記ゴムブロックと前記第一ばねチャンバとの間には第一ばねが固定的に取り付けられ、前記ゴムブロックの頂部端面には上方に開口した第三ばねチャンバが設置され、前記第三ばねチャンバの中には第一引掛りブロックがスライドできるように係合し取り付けられ、前記第一引掛りブロックの底部端面と前記第三ばねチャンバの底壁との間には第三ばねが固定的に取り付けられ、前記上主体の下方には下主体が設置され、前記下主体には第一引掛り溝が左右に対称的に設置され、前記第一引掛り溝の下方にはプッシュチャンバが連通し設置され、前記プッシュチャンバの中にはプッシュブロックがスライドできるように係合し取り付けられ、前記プッシュチャンバの下方には第二ばねチャンバが連通し設置され、前記第二ばねチャンバの中には第一ボタンがスライドできるように係合し取り付けられ、前記第一ボタンの頂部端面には第一補助ロッドが固定的に取り付けられ、前記第一補助ロッドと前記プッシュブロックとが固定的に連結され、前記第一ボタンの頂部端面と前記プッシュブロックの底部端面との間には第二ばねが固定的に取り付けられ、ハンドルカバーを取り付けるとき、前記ゴムブロックを引き、前記第一引掛りブロックを前記プッシュチャンバの中に固定し、取り外すとき、前記第一ボタンを押すことにより実現し、前記上主体の中には操作ロッドを包むことができる包み機構が設置され、前記包み機構は前記上主体の中に設置される三つの抜き穴を含み、前記抜き穴の中には連結布がスライドできるように係合し取り付けられ、前記連結布には前記下主体の底部に貼り付けることができる面ファスナーが固定的に取り付けられ、前記上主体と前記下主体との間には伸びられ、且つ異なるおもちゃ自動車のハンドルの厚さに適する伸び機構が設置されることを特徴とするおもちゃ自動車のハンドルカバー。
【請求項２】
前記包み機構は前記連結布に固定的に取り付けられる包み板も含み、三つの前記包み板の間には遮り布が固定的に連結され、前記包み板には連結板が固定的に取り付けられ、前記連結板の中には連結溝が設置され、前記連結溝の中には移動ロッドが回転できるように係合し取り付けられ、前記移動ロッドには移動ブロックが固定的に取り付けられ、前記移動ブロックには蓋板が固定的に取り付けられ、前記蓋板の頂部端面には第二引掛りブロックが固定的に取り付けられ、前記包み板の底部端面の中には下方に開口した第二引掛り溝が設置され、前記第二引掛りブロックが前記第二引掛り溝の中に固定されることができ、前記第二引掛り溝には第四ばねチャンバが連通し設置され、前記第四ばねチャンバの中には第二ボタンがスライドできるように係合し取り付けられ、前記第二ボタンには第二補助ロッドが固定的に連結され、前記第二ボタンと前記第四ばねチャンバとの間には第四ばねが固定的に取り付けられ、前記操作ロッドを包むとき、前記蓋板を回し、前記第二引掛りブロックを前記第二引掛り溝の中に固定し、開けるとき、前記第二ボタンを押すことにより実現し、前記遮り布によりおもちゃ自動車のロゴをカバーするとき、三つの前記面ファスナーを引くことにより調整し完成することを特徴とする請求項１に記載のおもちゃ自動車のハンドルカバー。
【請求項３】
前記伸び機構は前記上主体の底部端面と前記下主体の頂部端面に左右に対称的に設置される伸びチャンバを含み、前記伸びチャンバには固定ブロックが固定的に取り付けられ、前記固定ブロックには回転ロッドが固定的に取り付けられ、前記回転ロッドには連結ロッドが回転できるように係合し取り付けられ、上下の前記連結ロッドの間がヒンジにより連結し取り付けられ、前記下主体の頂部端面には制限溝が左右に対称的に設置され、前記上主体の底部端面には制限ブロックが左右に対称的に固定的に取り付けられ、前記制限ブロックが前記制限溝の中に固定されることができ、おもちゃ自動車のハンドルが厚すぎる場合、前記上主体を引き、前記制限ブロックと前記制限溝とを固定状態から離脱させ、上下の前記連結ロッドの間が回転し、引き伸ばされることを特徴とする請求項１に記載のおもちゃ自動車のハンドルカバー。
【発明の詳細な説明】
【技術分野】
【０００１】
本発明はハンドルカバー分野を取り上げて、具体的にはおもちゃ自動車のハンドルカバーである。
【背景技術】
【０００２】
子供により気持ちよくおもちゃ自動車を遊ぶようにさせるために、おもちゃ自動車のハンドルにハンドルカバーを設置する必要があり、一般的なおもちゃ自動車のハンドルカバーは各種の厚さのハンドルに適することができなく、また操作ロッドを包むこともできなく、子供が遊ぶとき、ハンドルカバーを取り外す可能性があり、一般的なおもちゃ自動車のハンドルカバーはハンドルに固定されることができない。
【先行技術文献】
【特許文献】
【０００３】
【特許文献１】中国特許出願公開第107554598号明細書
【発明の概要】
【発明が解決しようとする課題】
【０００４】
本発明の目的はおもちゃ自動車のハンドルカバーを提供し、それは上記の現在の技術中の問題を解決できる。
【課題を解決するための手段】
【０００５】
本発明のおもちゃ自動車のハンドルカバーは、上主体を含み、前記上主体の中には第一ばねチャンバが左右に対称的に設置され、前記第一ばねチャンバの中にはゴムブロックがスライドできるように係合し取り付けられ、前記ゴムブロックと前記第一ばねチャンバとの間には第一ばねが固定的に取り付けられ、前記ゴムブロックの頂部端面には上方に開口した第三ばねチャンバが設置され、前記第三ばねチャンバの中には第一引掛りブロックがスライドできるように係合し取り付けられ、前記第一引掛りブロックの底部端面と前記第三ばねチャンバの底壁との間には第三ばねが固定的に取り付けられ、前記上主体の下方には下主体が設置され、前記下主体には第一引掛り溝が左右に対称的に設置され、前記第一引掛り溝の下方にはプッシュチャンバが連通し設置され、前記プッシュチャンバの中にはプッシュブロックがスライドできるように係合し取り付けられ、前記プッシュチャンバの下方には第二ばねチャンバが連通し設置され、前記第二ばねチャンバの中には第一ボタンがスライドできるように係合し取り付けられ、前記第一ボタンの頂部端面には第一補助ロッドが固定的に取り付けられ、前記第一補助ロッドと前記プッシュブロックとが固定的に連結され、前記第一ボタンの頂部端面と前記プッシュブロックの底部端面との間には第二ばねが固定的に取り付けられ、ハンドルカバーを取り付けるとき、前記ゴムブロックを引き、前記第一引掛りブロックを前記プッシュチャンバの中に固定し、取り外すとき、前記第一ボタンを押すことにより実現し、前記上主体の中には操作ロッドを包むことができる包み機構が設置され、前記包み機構は前記上主体の中に設置される三つの抜き穴を含み、前記抜き穴の中には連結布がスライドできるように係合し取り付けられ、前記連結布には前記下主体の底部に貼り付けることができる面ファスナーが固定的に取り付けられ、前記上主体と前記下主体との間には伸びられ、且つ異なるおもちゃ自動車のハンドルの厚さに適する伸び機構が設置される。
【０００６】
さらなる技術プラン、前記包み機構は前記連結布に固定的に取り付けられる包み板も含み、三つの前記包み板の間には遮り布が固定的に連結され、前記包み板には連結板が固定的に取り付けられ、前記連結板の中には連結溝が設置され、前記連結溝の中には移動ロッドが回転できるように係合し取り付けられ、前記移動ロッドには移動ブロックが固定的に取り付けられ、前記移動ブロックには蓋板が固定的に取り付けられ、前記蓋板の頂部端面には第二引掛りブロックが固定的に取り付けられ、前記包み板の底部端面の中には下方に開口した第二引掛り溝が設置され、前記第二引掛りブロックが前記第二引掛り溝の中に固定されることができ、前記第二引掛り溝には第四ばねチャンバが連通し設置され、前記第四ばねチャンバの中には第二ボタンがスライドできるように係合し取り付けられ、前記第二ボタンには第二補助ロッドが固定的に連結され、前記第二ボタンと前記第四ばねチャンバとの間には第四ばねが固定的に取り付けられる。
【０００７】
さらなる技術プラン、前記伸び機構は前記上主体の底部端面と前記下主体の頂部端面に左右に対称的に設置される伸びチャンバを含み、前記伸びチャンバには固定ブロックが固定的に取り付けられ、前記固定ブロックには回転ロッドが固定的に取り付けられ、前記回転ロッドには連結ロッドが回転できるように係合し取り付けられ、上下の前記連結ロッドの間がヒンジにより連結し取り付けられ、前記下主体の頂部端面には制限溝が左右に対称的に設置され、前記上主体の底部端面には制限ブロックが左右に対称的に固定的に取り付けられ、前記制限ブロックが前記制限溝の中に固定されることができる。
【発明の効果】
【０００８】
本発明の有益的な効果は：本発明はハンドルカバーをハンドルに固定でき、子供が遊ぶときハンドルカバーを取り外すことを防止し、伸び機構が引き伸ばされることができ、異なる厚さのハンドルに適し、包み機構が操作ロッドを包むことができ、普及する価値がある。
【図面の簡単な説明】
【０００９】
説明しやすいため、本発明は以下の具体的な実施例と付図を交え詳しく説明する。
【００１０】
【図１】図１は本発明の構造概略図である；
【図２】図２は図１のＡ−Ａ方向の断面構造概略図である；
【図３】図３は図１のＢの拡大概略図である；
【図４】図４は図１のＣの拡大概略図である；
【図５】図５は図１のＤの拡大概略図である；
【図６】図６は図２のＥ−Ｅ方向の断面構造概略図である；
【図７】図７は図６のＦの拡大概略図である。
【発明を実施するための形態】
【００１１】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−７を参照し、本発明のおもちゃ自動車のハンドルカバーは、上主体１２を含み、前記上主体１２の中には第一ばねチャンバ１４が左右に対称的に設置され、前記第一ばねチャンバ１４の中にはゴムブロック１１がスライドできるように係合し取り付けられ、前記ゴムブロック１１と前記第一ばねチャンバ１４との間には第一ばね１３が固定的に取り付けられ、前記ゴムブロック１１の頂部端面には上方に開口した第三ばねチャンバ３９が設置され、前記第三ばねチャンバ３９の中には第一引掛りブロック４０がスライドできるように係合し取り付けられ、前記第一引掛りブロック４０の底部端面と前記第三ばねチャンバ３９の底壁との間には第三ばね３８が固定的に取り付けられ、前記上主体１２の下方には下主体１５が設置され、前記下主体１５には第一引掛り溝３１が左右に対称的に設置され、前記第一引掛り溝３１の下方にはプッシュチャンバ３２が連通し設置され、前記プッシュチャンバ３２の中にはプッシュブロック３３がスライドできるように係合し取り付けられ、前記プッシュチャンバ３２の下方には第二ばねチャンバ３５が連通し設置され、前記第二ばねチャンバ３５の中には第一ボタン３７がスライドできるように係合し取り付けられ、前記第一ボタン３７の頂部端面には第一補助ロッド３４が固定的に取り付けられ、前記第一補助ロッド３４と前記プッシュブロック３３とが固定的に連結され、前記第一ボタン３７の頂部端面と前記プッシュブロック３３の底部端面との間には第二ばね３６が固定的に取り付けられ、ハンドルカバーを取り付けるとき、前記ゴムブロック１１を引き、前記第一引掛りブロック４０を前記プッシュチャンバ３２の中に固定し、取り外すとき、前記第一ボタン３７を押すことにより実現し、前記上主体１２の中には操作ロッドを包むことができる包み機構８０が設置され、前記包み機構８０は前記上主体１２の中に設置される三つの抜き穴１８を含み、前記抜き穴１８の中には連結布１６がスライドできるように係合し取り付けられ、前記連結布１６には前記下主体１５の底部に貼り付けることができる面ファスナー１７が固定的に取り付けられ、前記上主体１２と前記下主体１５との間には伸びられ、且つ異なるおもちゃ自動車のハンドルの厚さに適する伸び機構９０が設置される。
【００１３】
前記包み機構８０は前記連結布１６に固定的に取り付けられる包み板２０も含み、三つの前記包み板２０の間には遮り布１９が固定的に連結され、前記包み板２０には連結板２１が固定的に取り付けられ、前記連結板２１の中には連結溝２２が設置され、前記連結溝２２の中には移動ロッド２３が回転できるように係合し取り付けられ、前記移動ロッド２３には移動ブロック２４が固定的に取り付けられ、前記移動ブロック２４には蓋板４７が固定的に取り付けられ、前記蓋板４７の頂部端面には第二引掛りブロック４１が固定的に取り付けられ、前記包み板２０の底部端面の中には下方に開口した第二引掛り溝４２が設置され、前記第二引掛りブロック４１が前記第二引掛り溝４２の中に固定されることができ、前記第二引掛り溝４２には第四ばねチャンバ４４が連通し設置され、前記第四ばねチャンバ４４の中には第二ボタン４５がスライドできるように係合し取り付けられ、前記第二ボタン４５には第二補助ロッド４３が固定的に連結され、前記第二ボタン４５と前記第四ばねチャンバ４４との間には第四ばね４６が固定的に取り付けられ、それにより操作ロッドを包むとき、蓋板４７を回し、第二引掛りブロック４１を第二引掛り溝４２の中に固定し、開けるとき、第二ボタン４５を押すことにより実現し、遮り布１９によりおもちゃ自動車のロゴをカバーするとき、三つの面ファスナー１７を引くことにより調整し完成する。
【００１４】
前記伸び機構９０は前記上主体１２の底部端面と前記下主体１５の頂部端面に左右に対称的に設置される伸びチャンバ２９を含み、前記伸びチャンバ２９には固定ブロック３０が固定的に取り付けられ、前記固定ブロック３０には回転ロッド２５が固定的に取り付けられ、前記回転ロッド２５には連結ロッド２６が回転できるように係合し取り付けられ、上下の前記連結ロッド２６の間がヒンジにより連結し取り付けられ、前記下主体１５の頂部端面には制限溝２８が左右に対称的に設置され、前記上主体１２の底部端面には制限ブロック２７が左右に対称的に固定的に取り付けられ、前記制限ブロック２７が前記制限溝２８の中に固定されることができ、それによりおもちゃ自動車のハンドルが厚すぎる場合、上主体１２を引き、制限ブロック２７と制限溝２８とを固定状態から離脱させ、上下の連結ロッド２６の間が回転し、引き伸ばされる。
【００１５】
使用するとき、ハンドルカバーを取り付けるとき、ゴムブロック１１を引き、第一引掛りブロック４０をプッシュチャンバ３２の中に固定し、取り外すとき、第一ボタン３７を押すことにより実現し、操作ロッドを包むとき、蓋板４７を回し、第二引掛りブロック４１を第二引掛り溝４２の中に固定し、蓋板４７を開けるとき、第二ボタン４５を押すことにより実現し、遮り布１９によりおもちゃ自動車のロゴをカバーするとき、三つの面ファスナー１７を引くことにより調整し完成し、おもちゃ自動車のハンドルが厚すぎる場合、上主体１２を引き、制限ブロック２７と制限溝２８とを固定状態から離脱させ、上下の連結ロッド２６の間が回転し、引き伸ばされる。
【００１６】
本発明の有益的な効果は：本発明はハンドルカバーをハンドルに固定でき、子供が遊ぶときハンドルカバーを取り外すことを防止し、伸び機構が引き伸ばされることができ、異なる厚さのハンドルに適し、包み機構が操作ロッドを包むことができ、普及する価値がある。
【００１７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020168333.tif 000003
【図２】
2020168333.tif 000004
【図３】
2020168333.tif 000005
【図４】
2020168333.tif 000006
【図５】
2020168333.tif 000007
【図６】
2020168333.tif 000008
【図７】
2020168333.tif 000009
【手続補正書】
【提出日】令和1年6月26日(2019.6.26)
【手続補正１】
【補正対象書類名】特許請求の範囲
【補正対象項目名】請求項１
【補正方法】変更
【補正の内容】
【請求項１】
上主体を含み、前記上主体の中には第一ばねチャンバが左右に対称的に設置され、前記第一ばねチャンバの中にはゴムブロックがスライドできるように係合し取り付けられ、前記ゴムブロックと前記第一ばねチャンバとの間には第一ばねが固定的に取り付けられ、前記ゴムブロックの頂部端面には上方に開口した第三ばねチャンバが設置され、前記第三ばねチャンバの中には第一引掛りブロックがスライドできるように係合し取り付けられ、前記第一引掛りブロックの底部端面と前記第三ばねチャンバの底壁との間には第三ばねが固定的に取り付けられ、前記上主体の下方には下主体が設置され、前記下主体には第一引掛り溝が左右に対称的に設置され、前記第一引掛り溝の下方にはプッシュチャンバが連通し設置され、前記プッシュチャンバの中にはプッシュブロックがスライドできるように係合し取り付けられ、前記プッシュチャンバの下方には第二ばねチャンバが連通し設置され、前記第二ばねチャンバの中には第一ボタンがスライドできるように係合し取り付けられ、前記第一ボタンの頂部端面には第一補助ロッドが固定的に取り付けられ、前記第一補助ロッドと前記プッシュブロックとが固定的に連結され、前記第一ボタンの頂部端面と前記プッシュブロックの底部端面との間には第二ばねが固定的に取り付けられ、ハンドルカバーを取り付けるとき、前記ゴムブロックを引き、前記第一引掛りブロックを前記プッシュチャンバの中に固定し、取り外すとき、前記第一ボタンを押すことにより実現し、前記上主体の中にはおもちゃ自動車のハンドルを包むことができる包み機構が設置され、前記包み機構は前記上主体の中に設置される三つの抜き穴を含み、前記抜き穴の中には連結布がスライドできるように係合し取り付けられ、前記連結布には前記下主体の底部に貼り付けることができる面ファスナーが固定的に取り付けられ、前記上主体と前記下主体との間には伸び機構が設置されることを特徴とするおもちゃ自動車のハンドルカバー。
【手続補正２】
【補正対象書類名】明細書
【補正対象項目名】全文
【補正方法】変更
【補正の内容】
【発明の詳細な説明】
【技術分野】
【０００１】
本発明はハンドルカバー分野を取り上げて、具体的にはおもちゃ自動車のハンドルカバーである。
【背景技術】
【０００２】
子供により気持ちよくおもちゃ自動車を遊ぶようにさせるために、おもちゃ自動車のハンドルにハンドルカバーを設置する必要があり、一般的なおもちゃ自動車のハンドルカバーは各種の厚さのハンドルに適することができなく、またおもちゃ自動車のハンドルを包むこともできなく、子供が遊ぶとき、ハンドルカバーを取り外す可能性があり、一般的なおもちゃ自動車のハンドルカバーはハンドルに固定されることができない。
【先行技術文献】
【特許文献】
【０００３】
【特許文献１】中国特許出願公開第107554598号明細書
【発明の概要】
【発明が解決しようとする課題】
【０００４】
本発明の目的はおもちゃ自動車のハンドルカバーを提供し、それは上記の現在の技術中の問題を解決できる。
【課題を解決するための手段】
【０００５】
本発明のおもちゃ自動車のハンドルカバーは、上主体を含み、前記上主体の中には第一ばねチャンバが左右に対称的に設置され、前記第一ばねチャンバの中にはゴムブロックがスライドできるように係合し取り付けられ、前記ゴムブロックと前記第一ばねチャンバとの間には第一ばねが固定的に取り付けられ、前記ゴムブロックの頂部端面には上方に開口した第三ばねチャンバが設置され、前記第三ばねチャンバの中には第一引掛りブロックがスライドできるように係合し取り付けられ、前記第一引掛りブロックの底部端面と前記第三ばねチャンバの底壁との間には第三ばねが固定的に取り付けられ、前記上主体の下方には下主体が設置され、前記下主体には第一引掛り溝が左右に対称的に設置され、前記第一引掛り溝の下方にはプッシュチャンバが連通し設置され、前記プッシュチャンバの中にはプッシュブロックがスライドできるように係合し取り付けられ、前記プッシュチャンバの下方には第二ばねチャンバが連通し設置され、前記第二ばねチャンバの中には第一ボタンがスライドできるように係合し取り付けられ、前記第一ボタンの頂部端面には第一補助ロッドが固定的に取り付けられ、前記第一補助ロッドと前記プッシュブロックとが固定的に連結され、前記第一ボタンの頂部端面と前記プッシュブロックの底部端面との間には第二ばねが固定的に取り付けられ、ハンドルカバーを取り付けるとき、前記ゴムブロックを引き、前記第一引掛りブロックを前記プッシュチャンバの中に固定し、取り外すとき、前記第一ボタンを押すことにより実現し、前記上主体の中にはおもちゃ自動車のハンドルを包むことができる包み機構が設置され、前記包み機構は前記上主体の中に設置される三つの抜き穴を含み、前記抜き穴の中には連結布がスライドできるように係合し取り付けられ、前記連結布には前記下主体の底部に貼り付けることができる面ファスナーが固定的に取り付けられ、前記上主体と前記下主体との間には伸び機構が設置される。
【０００６】
さらなる技術プラン、前記包み機構は前記連結布に固定的に取り付けられる包み板も含み、三つの前記包み板の間には遮り布が固定的に連結され、前記包み板には連結板が固定的に取り付けられ、前記連結板の中には連結溝が設置され、前記連結溝の中には移動ロッドが回転できるように係合し取り付けられ、前記移動ロッドには移動ブロックが固定的に取り付けられ、前記移動ブロックには蓋板が固定的に取り付けられ、前記蓋板の頂部端面には第二引掛りブロックが固定的に取り付けられ、前記包み板の底部端面の中には下方に開口した第二引掛り溝が設置され、前記第二引掛りブロックが前記第二引掛り溝の中に固定されることができ、前記第二引掛り溝には第四ばねチャンバが連通し設置され、前記第四ばねチャンバの中には第二ボタンがスライドできるように係合し取り付けられ、前記第二ボタンには第二補助ロッドが固定的に連結され、前記第二ボタンと前記第四ばねチャンバとの間には第四ばねが固定的に取り付けられる。
【０００７】
さらなる技術プラン、前記伸び機構は前記上主体の底部端面と前記下主体の頂部端面に左右に対称的に設置される伸びチャンバを含み、前記伸びチャンバには固定ブロックが固定的に取り付けられ、前記固定ブロックには回転ロッドが固定的に取り付けられ、前記回転ロッドには連結ロッドが回転できるように係合し取り付けられ、上下の前記連結ロッドの間がヒンジにより連結し取り付けられ、前記下主体の頂部端面には制限溝が左右に対称的に設置され、前記上主体の底部端面には制限ブロックが左右に対称的に固定的に取り付けられ、前記制限ブロックが前記制限溝の中に固定されることができる。
【発明の効果】
【０００８】
本発明の有益的な効果は：本発明はハンドルカバーをハンドルに固定でき、子供が遊ぶときハンドルカバーを取り外すことを防止し、伸び機構が引き伸ばされることができ、異なる厚さのハンドルに適し、包み機構がおもちゃ自動車のハンドルを包むことができ、普及する価値がある。
【図面の簡単な説明】
【０００９】
説明しやすいため、本発明は以下の具体的な実施例と付図を交え詳しく説明する。
【００１０】
【図１】図１は本発明の構造概略図である；
【図２】図２は図１のＡ−Ａ方向の断面構造概略図である；
【図３】図３は図１のＢの拡大概略図である；
【図４】図４は図１のＣの拡大概略図である；
【図５】図５は図１のＤの拡大概略図である；
【図６】図６は図２のＥ−Ｅ方向の断面構造概略図である；
【図７】図７は図６のＦの拡大概略図である。
【発明を実施するための形態】
【００１１】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−７を参照し、本発明のおもちゃ自動車のハンドルカバーは、上主体１２を含み、前記上主体１２の中には第一ばねチャンバ１４が左右に対称的に設置され、前記第一ばねチャンバ１４の中にはゴムブロック１１がスライドできるように係合し取り付けられ、前記ゴムブロック１１と前記第一ばねチャンバ１４との間には第一ばね１３が固定的に取り付けられ、前記ゴムブロック１１の頂部端面には上方に開口した第三ばねチャンバ３９が設置され、前記第三ばねチャンバ３９の中には第一引掛りブロック４０がスライドできるように係合し取り付けられ、前記第一引掛りブロック４０の底部端面と前記第三ばねチャンバ３９の底壁との間には第三ばね３８が固定的に取り付けられ、前記上主体１２の下方には下主体１５が設置され、前記下主体１５には第一引掛り溝３１が左右に対称的に設置され、前記第一引掛り溝３１の下方にはプッシュチャンバ３２が連通し設置され、前記プッシュチャンバ３２の中にはプッシュブロック３３がスライドできるように係合し取り付けられ、前記プッシュチャンバ３２の下方には第二ばねチャンバ３５が連通し設置され、前記第二ばねチャンバ３５の中には第一ボタン３７がスライドできるように係合し取り付けられ、前記第一ボタン３７の頂部端面には第一補助ロッド３４が固定的に取り付けられ、前記第一補助ロッド３４と前記プッシュブロック３３とが固定的に連結され、前記第一ボタン３７の頂部端面と前記プッシュブロック３３の底部端面との間には第二ばね３６が固定的に取り付けられ、ハンドルカバーを取り付けるとき、前記ゴムブロック１１を引き、前記第一引掛りブロック４０を前記プッシュチャンバ３２の中に固定し、取り外すとき、前記第一ボタン３７を押すことにより実現し、前記上主体１２の中にはおもちゃ自動車のハンドルを包むことができる包み機構８０が設置され、前記包み機構８０は前記上主体１２の中に設置される三つの抜き穴１８を含み、前記抜き穴１８の中には連結布１６がスライドできるように係合し取り付けられ、前記連結布１６には前記下主体１５の底部に貼り付けることができる面ファスナー１７が固定的に取り付けられ、前記上主体１２と前記下主体１５との間には伸び機構９０が設置される。
【００１３】
前記包み機構８０は前記連結布１６に固定的に取り付けられる包み板２０も含み、三つの前記包み板２０の間には遮り布１９が固定的に連結され、前記包み板２０には連結板２１が固定的に取り付けられ、前記連結板２１の中には連結溝２２が設置され、前記連結溝２２の中には移動ロッド２３が回転できるように係合し取り付けられ、前記移動ロッド２３には移動ブロック２４が固定的に取り付けられ、前記移動ブロック２４には蓋板４７が固定的に取り付けられ、前記蓋板４７の頂部端面には第二引掛りブロック４１が固定的に取り付けられ、前記包み板２０の底部端面の中には下方に開口した第二引掛り溝４２が設置され、前記第二引掛りブロック４１が前記第二引掛り溝４２の中に固定されることができ、前記第二引掛り溝４２には第四ばねチャンバ４４が連通し設置され、前記第四ばねチャンバ４４の中には第二ボタン４５がスライドできるように係合し取り付けられ、前記第二ボタン４５には第二補助ロッド４３が固定的に連結され、前記第二ボタン４５と前記第四ばねチャンバ４４との間には第四ばね４６が固定的に取り付けられ、それによりおもちゃ自動車のハンドルを包むとき、蓋板４７を回し、第二引掛りブロック４１を第二引掛り溝４２の中に固定し、開けるとき、第二ボタン４５を押すことにより実現し、遮り布１９によりおもちゃ自動車のロゴをカバーするとき、三つの面ファスナー１７を引くことにより調整し完成する。
【００１４】
前記伸び機構９０は前記上主体１２の底部端面と前記下主体１５の頂部端面に左右に対称的に設置される伸びチャンバ２９を含み、前記伸びチャンバ２９には固定ブロック３０が固定的に取り付けられ、前記固定ブロック３０には回転ロッド２５が固定的に取り付けられ、前記回転ロッド２５には連結ロッド２６が回転できるように係合し取り付けられ、上下の前記連結ロッド２６の間がヒンジにより連結し取り付けられ、前記下主体１５の頂部端面には制限溝２８が左右に対称的に設置され、前記上主体１２の底部端面には制限ブロック２７が左右に対称的に固定的に取り付けられ、前記制限ブロック２７が前記制限溝２８の中に固定されることができ、それによりおもちゃ自動車のハンドルが厚すぎる場合、上主体１２を引き、制限ブロック２７と制限溝２８とを固定状態から離脱させ、上下の連結ロッド２６の間が回転し、引き伸ばされる。
【００１５】
使用するとき、ハンドルカバーを取り付けるとき、ゴムブロック１１を引き、第一引掛りブロック４０をプッシュチャンバ３２の中に固定し、取り外すとき、第一ボタン３７を押すことにより実現し、おもちゃ自動車のハンドルを包むとき、蓋板４７を回し、第二引掛りブロック４１を第二引掛り溝４２の中に固定し、蓋板４７を開けるとき、第二ボタン４５を押すことにより実現し、遮り布１９によりおもちゃ自動車のロゴをカバーするとき、三つの面ファスナー１７を引くことにより調整し完成し、おもちゃ自動車のハンドルが厚すぎる場合、上主体１２を引き、制限ブロック２７と制限溝２８とを固定状態から離脱させ、上下の連結ロッド２６の間が回転し、引き伸ばされる。
【００１６】
本発明の有益的な効果は：本発明はハンドルカバーをハンドルに固定でき、子供が遊ぶときハンドルカバーを取り外すことを防止し、伸び機構が引き伸ばされることができ、異なる厚さのハンドルに適し、包み機構がおもちゃ自動車のハンドルを包むことができ、普及する価値がある。
【００１７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
上主体を含み、前記上主体の中には第一ばねチャンバが左右に対称的に設置され、前記第一ばねチャンバの中にはゴムブロックがスライドできるように係合し取り付けられ、前記ゴムブロックと前記第一ばねチャンバとの間には第一ばねが固定的に取り付けられ、前記ゴムブロックの頂部端面には上方に開口した第三ばねチャンバが設置され、前記第三ばねチャンバの中には第一引掛りブロックがスライドできるように係合し取り付けられ、前記第一引掛りブロックの底部端面と前記第三ばねチャンバの底壁との間には第三ばねが固定的に取り付けられ、前記上主体の下方には下主体が設置され、前記下主体には第一引掛り溝が左右に対称的に設置され、前記第一引掛り溝の下方にはプッシュチャンバが連通し設置され、前記プッシュチャンバの中にはプッシュブロックがスライドできるように係合し取り付けられ、前記プッシュチャンバの下方には第二ばねチャンバが連通し設置され、前記第二ばねチャンバの中には第一ボタンがスライドできるように係合し取り付けられ、前記第一ボタンの頂部端面には第一補助ロッドが固定的に取り付けられ、前記第一補助ロッドと前記プッシュブロックとが固定的に連結され、前記第一ボタンの頂部端面と前記プッシュブロックの底部端面との間には第二ばねが固定的に取り付けられ、ハンドルカバーを取り付けるとき、前記ゴムブロックを引き、前記第一引掛りブロックを前記プッシュチャンバの中に固定し、取り外すとき、前記第一ボタンを押すことにより実現し、前記上主体の中にはおもちゃ自動車のハンドルを包むことができる包み機構が設置され、前記包み機構は前記上主体の中に設置される三つの抜き穴を含み、前記抜き穴の中には連結布がスライドできるように係合し取り付けられ、前記連結布には前記下主体の底部に貼り付けることができる面ファスナーが固定的に取り付けられ、前記上主体と前記下主体との間には伸び機構が設置されており、
前記伸び機構は前記上主体の底部端面と前記下主体の頂部端面に左右に対称的に設置される伸びチャンバを含み、前記伸びチャンバには固定ブロックが固定的に取り付けられ、前記固定ブロックには回転ロッドが固定的に取り付けられ、前記回転ロッドには連結ロッドが回転できるように係合し取り付けられ、上下の前記連結ロッドの間がヒンジにより連結し取り付けられ、前記下主体の頂部端面には制限溝が左右に対称的に設置され、前記上主体の底部端面には制限ブロックが左右に対称的に固定的に取り付けられ、前記制限ブロックが前記制限溝の中に固定されることができ、おもちゃ自動車のハンドルが厚すぎる場合、前記上主体を引き、前記制限ブロックと前記制限溝とを固定状態から離脱させ、上下の前記連結ロッドの間が回転し、引き伸ばされることを特徴とするおもちゃ自動車のハンドルカバー。
【請求項２】
前記包み機構は前記連結布に固定的に取り付けられる包み板も含み、三つの前記包み板の間には遮り布が固定的に連結され、前記包み板には連結板が固定的に取り付けられ、前記連結板の中には連結溝が設置され、前記連結溝の中には移動ロッドが回転できるように係合し取り付けられ、前記移動ロッドには移動ブロックが固定的に取り付けられ、前記移動ブロックには蓋板が固定的に取り付けられ、前記蓋板の頂部端面には第二引掛りブロックが固定的に取り付けられ、前記包み板の底部端面の中には下方に開口した第二引掛り溝が設置され、前記第二引掛りブロックが前記第二引掛り溝の中に固定されることができ、前記第二引掛り溝には第四ばねチャンバが連通し設置され、前記第四ばねチャンバの中には第二ボタンがスライドできるように係合し取り付けられ、前記第二ボタンには第二補助ロッドが固定的に連結され、前記第二ボタンと前記第四ばねチャンバとの間には第四ばねが固定的に取り付けられ、前記操作ロッドを包むとき、前記蓋板を回し、前記第二引掛りブロックを前記第二引掛り溝の中に固定し、開けるとき、前記第二ボタンを押すことにより実現し、前記遮り布によりおもちゃ自動車のロゴをカバーするとき、三つの前記面ファスナーを引くことにより調整し完成することを特徴とする請求項１に記載のおもちゃ自動車のハンドルカバー。
【手続補正書】
【提出日】令和1年12月5日(2019.12.5)
【手続補正１】
【補正対象書類名】特許請求の範囲
【補正対象項目名】請求項２
【補正方法】変更
【補正の内容】
【請求項２】
前記包み機構は前記連結布に固定的に取り付けられる包み板も含み、三つの前記包み板の間には遮り布が固定的に連結され、前記包み板には連結板が固定的に取り付けられ、前記連結板の中には連結溝が設置され、前記連結溝の中には移動ロッドが回転できるように係合し取り付けられ、前記移動ロッドには移動ブロックが固定的に取り付けられ、前記移動ブロックには蓋板が固定的に取り付けられ、前記蓋板の頂部端面には第二引掛りブロックが固定的に取り付けられ、前記包み板の底部端面の中には下方に開口した第二引掛り溝が設置され、前記第二引掛りブロックが前記第二引掛り溝の中に固定されることができ、前記第二引掛り溝には第四ばねチャンバが連通し設置され、前記第四ばねチャンバの中には第二ボタンがスライドできるように係合し取り付けられ、前記第二ボタンには第二補助ロッドが固定的に連結され、前記第二ボタンと前記第四ばねチャンバとの間には第四ばねが固定的に取り付けられ、前記おもちゃ自動車のハンドルを包むとき、前記蓋板を回し、前記第二引掛りブロックを前記第二引掛り溝の中に固定し、開けるとき、前記第二ボタンを押すことにより実現し、前記遮り布によりおもちゃ自動車のロゴをカバーするとき、三つの前記面ファスナーを引くことにより調整し完成することを特徴とする請求項１に記載のおもちゃ自動車のハンドルカバー。